(57)【要約】【課題】本発明は、防水板に関し、防止板の保管場所のスペースを多く取ることなく、非常時においては、使用の手間の掛からない防水板を提供することが課題である。        【解決手段】入り口部の床面に形成された凹部に収納されるジャバラ式エアーフェンスと、該エアーフェンスに気体を吸気・排気させて膨張または収縮させる空気用ポンプ装置と、前記入り口の近傍における水位を検知する水位検知装置と、該水位検知装置のスイッチが作動することで前記空気用ポンプ装置を駆動させて前記エアーフェンスを膨張・収縮せる制御装置とで構成されている防水板１である。【選択図】図１
2006207177.tif 000002
【特許請求の範囲】
【請求項１】
入り口部の床面に形成された凹部に収納されるジャバラ式エアーフェンスと、該エアーフェンスに気体を吸気・排気させて膨張または収縮させる空気用ポンプ装置と、前記入り口の近傍における水位を検知する水位検知装置と、該水位検知装置のスイッチが作動することで前記空気用ポンプ装置を駆動させて前記エアーフェンスを膨張・収縮させる制御装置とで構成されていること、
を特徴とする防水板。
【請求項２】
ジャバラ式エアーフェンスは、そのジャバラ部分の突出部に耐水圧用のフラットバーが内包されていること、
を特徴とする請求項１に記載の防水板。
【請求項３】
制御装置は、エアーフェンスの空気圧を、該エアーフェンスに加わる水圧の増減に応じて制御すること、
を特徴とする請求項１または２に記載の防水板。
【発明の詳細な説明】
【技術分野】
【０００１】
本発明は、例えば、洪水時や豪雨時において、建築物の地下室、地下街若しくは地下トンネルや地下通路等に雨水が浸入するのを防止する防水板に関するものである。
【背景技術】
【０００２】
従来、例えば、防水板として、地下駐車場等への入り口に、保管場所から平板状の防水板を取り出して、左右側壁部に立設してあるガイド部材に前記防水板を上方からガイド用凹部に嵌合させて落とし込み、水の浸入を防止するものが知られている（特許文献１参照）。
【特許文献１】特開平２００４−１６２２６０号公報
【発明の開示】
【発明が解決しようとする課題】
【０００３】
しかし、従来の防水板用装置では、例えば、その防止板の保管場所を確保するために、排水溝の溝蓋（グレーチング）として兼用させるようにしたり、なるべく前記入り口に近い場所に保管するために保管箱を設置したりしている。このように、防止板を保管場所から管理者が自ら運び出して、設置する必要がある。
【０００４】
また、この他には、シャッターのスラット下部に防水板を一体に設置することもあるが、シャッターとの併用に限定され、シャッターを収納する天井部にも防水板引き込みのための高さ寸法が必要になるという不都合がある。更に、防水シートを床面に設置して、非常時に持ち上げるものがあるが、耐水圧強度で大きさが限定されるという不都合がある。構造が複雑な自動式のものは、コストが嵩むという課題がある。本発明に係る防水板は、このような課題を解決するために提案されたものである。
【課題を解決するための手段】
【０００５】
本発明に係る防水板の上記課題を解決して目的を達成するための要旨は、入り口部の床面に形成された凹部に収納されるジャバラ式エアーフェンスと、該エアーフェンスに気体を吸気・排気させて膨張または収縮させる空気用ポンプ装置と、前記入り口の近傍における水位を検知する水位検知装置と、該水位検知装置のスイッチが作動することで前記空気用ポンプ装置を駆動させて前記エアーフェンスを膨張・収縮させる制御装置とで構成されていることである。
【０００６】
また、前記ジャバラ式エアーフェンスは、そのジャバラ部分の突出部に耐水圧用のフラットバーが内包されていること、；
更に、前記制御装置は、エアーフェンスの空気圧を、該エアーフェンスに加わる水圧の増減に応じて制御すること、；
を含むものである。
【発明の効果】
【０００７】
本発明の防水板によれば、床面の凹部にエアーフェンスが収納される。よって、防水板の収納場所に多くのスペースを必要とせず、コンパクトな装置となる。このエアーフェンスには、コンプレッサー等の圧縮空気を供給する、若しくは、排気させるポンプ装置により、圧縮空気を供給するだけで、膨張させることができるので、防水板として作用させる構成が簡易であり、例えば、ライフラインの破壊により停電となった場合でも、このポンプ装置を人力により駆動させてエアーフェンスを膨張させることも可能である。
また、水位検知装置により、通常は、自動的にエアーフェンスを膨張させて、水の浸入を阻止することが出来る。また、水が引いたときには、制御装置により前記ポンプ装置を駆動させて、エアーフェンスから空気を抜いて排気させ、強制的に収縮させることができる。これによって、迅速に、凹部にエアーフェンスを収納することができる。
【発明を実施するための最良の形態】
【０００８】
本発明に係る防水板１は、図１乃至図４に示すように、建築物Ａの地下躯体に連通する入り口部２の床面３に形成された凹部４に収納されるジャバラ式エアーフェンス５と、該エアーフェンス５に気体を吸気・排気させて膨張または収縮させる空気用ポンプ装置６と、前記入り口２の近傍における水位を検知する水位検知装置７と、該水位検知装置７のスイッチが作動することで前記空気用ポンプ装置６を駆動させて前記エアーフェンス５を膨張させたり収縮させたりする制御装置８とで構成されている。
【０００９】
前記ジャバラ式エアーフェンス５は、図２に示すように、そのジャバラ部分の突出部５ａに耐水圧用のフラットバー５ｂが内包されている。前記フラットバー５ｂが上下方向に所定のピッチで配設されて、エアーフェンス５の厚みを保持するように機能する。エアーフェンス５は、合成樹脂製若しくは布製、布と合成樹脂との積層材等のシートで構成されている。また、エアーフェンス５の頭部には、略水平にした金属製、例えばステンレス製のマグサ５ｃが設けられている。
【００１０】
前記マグサ５ｃは、図３に示すように、建築物Ａの入り口における左右の側壁にガイド部Ａ１が設けられ、そこにある凹部に立設された金属製のガイド板９、９によって、上下方向にガイドされる。図２に示すように、エアーフェンス５の下部において、エアー注入管１０ａが接続されて、その管の一端部が床面上に突出され、エアー注入口（排出口を兼用）１０が設けられている。
【００１１】
そして、図４に示すように、エアー連結管１１がその一端を前記エアー注入口１０に接続され、他端を空気用ポンプ装置６に接続されている。更に、空気圧検知装置１０ｂを設けて、その電気信号を制御装置８に接続する。こうして、水圧の上昇によりエアーフェンス５内部の空気圧が増加したときには、更に、前記ポンプ装置６により空気をエアーフェンス５内部に供給するようにして、エアーフェンス５の強度を保つようにするものである。
【００１２】
また、前記空気用ポンプ装置６は、制御装置８と電気的に接続されている。この空気用ポンプ装置６は、電動及び手動兼用のコンプレッサーである。即ち、洪水時において、停電となる場合もあり、その緊急時には、人が手動でポンプ装置６のクランク等を回転させてエアーを供給させる。この場合、手間が掛かるものの、エアーフェンス５を手動で膨らませることができるようにすることで、不都合の無い防水板１となる。
【００１３】
前記制御装置８には、水位検知装置７が接続線１２で電気的に接続されている。この水位検知装置７は、例えば、入り口部２の近傍の床面３にある排水溝１３ａに流れ込んだ雨水１３の増加によって、フローティングスイッチによりスイッチがＯＮするように構成されているものである。これにより、ある設定水位になると、スイッチがＯＮ（ＯＦＦでもよい）して、制御装置８により空気用ポンプ装置６を駆動させて、エアーフェンス５を膨張させるものである。
【００１４】
前記制御装置８は、エアーフェンス５の空気圧を、該エアーフェンス５に加わる水圧の増減に応じて制御する。例えば、豪雨において、水位がどんどん上昇している場合には、エアーフェンス５に加わる圧力も大きくなるので、前記空気圧検知装置１０ｂと相俟ってエアーフェンス５が内側に撓まないように、空気圧を高くするものである。なお、水が引いて排水溝１３ａの水位も低下して、フローティングスイッチがＯＦＦになれば、空気用ポンプ装置６を逆回転させるように駆動させて、エアーフェンス５の空気を迅速に抜くようにする。
【００１５】
このようにしてなる本発明の防止板１の使用方法について、説明する。豪雨により、排水溝１３ａにおける雨水１３の水位が急激に上昇すると、水位検知装置７において、フローティングスイッチが上昇し、所定の水位になるとスイッチがＯＮとなる。これにより、制御装置８が警報を出すなどし、更に、空気用ポンプ装置６を駆動させて、圧縮空気をエアー連結管１１及びエアー注入管１０ａを介して、エアーフェンス５に吸気させて、これを膨らませる。
【００１６】
エアーフェンス５は、注入された圧縮空気によって凹部４から上方に立ち上がり、頭部のマグサ５ｃが、左右端部のガイド板９，９に案内されて上に移動し、略垂直に立設される。空気圧により、エアーフェンス５とガイド板９とにおける左右端部の隙間が塞がれ、例えば一例として、約９０ｃｍ〜１００ｃｍ程度の水位まで、水の浸入を防止するものである。やがて、水も引くと、排水溝１３ａ内の雨水１３の水位が下がり、それによりフローティングスイッチが下がってスイッチがＯＦＦとなる。すると、制御装置８により、空気ポンプ装置６が逆方向に駆動されて、前記膨らんだエアーフェンス５の内部の空気が、エアー注入管１０ａ及びエアー連結管１１を介して外部に排気される。これにより、迅速にエアーフェンス５が収縮して、前記凹部４内部に収納される。
【００１７】
なお、洪水時に、停電となった場合には、人が前記空気用ポンプ装置６を駆動させて、エアーフェンス５を膨らませて立設するものである。このような非常時の場合でも、素早く対応することができる防水板１となる。
【図面の簡単な説明】
【００１８】
【図１】本発明に係る防水板１の使用状態を示す斜視図である。
【図２】同本発明の防水板１の縦断面図である。
【図３】同本発明の防水板１の平面図である。
【図４】同本発明の防水板１の概略構成図である。
【符号の説明】
【００１９】
１          防水板、
２          入り口部、
３          床面、
４          凹部、
５          エアーフェンス、          ５ａ          突出部、
５ｂ        フラットバー、            ５ｃ          マグサ、
６          空気用ポンプ装置、
７          水位検知装置、
８          制御装置、
９          ガイド板、
１０        エアー注入口、            １０ａ        エアー注入管、
１１        エアー連結管、
１２        接続線、
１３        雨水、                    １３ａ        排水溝。
【図１】
2006207177.tif 000003
【図２】
2006207177.tif 000004
【図３】
2006207177.tif 000005
【図４】
2006207177.tif 000006